(57)【要約】【課題】開けやすく、手間がかからない化粧料収容装置を提供する。【解決手段】揮発性化粧料２を収容する蓋体４付き化粧皿１と、上記蓋体４を開閉しうる状態で上記化粧皿１を着脱自在に収容する保持皿６とを備えている。そして、この保持皿６の一側部に、上方からの押圧操作により閉蓋状態の蓋体４を跳ね上げて開蓋するフックピース７を設けている。【選択図】図１
2005168666.tif 000002
【特許請求の範囲】
【請求項１】
揮発性化粧料を収容する開閉蓋付き化粧皿と、上記開閉蓋を開閉しうる状態で上記化粧皿を着脱自在に収容する化粧皿収容具とを備え、この化粧皿収容具の一側部に、上方からの押圧操作により閉蓋状態の開閉蓋を跳ね上げて開蓋する跳ね上げ手段を設けたことを特徴とする化粧料収容装置。
【請求項２】
上記化粧皿の一側部に開閉蓋を回動自在に連結し、上記化粧皿の他側部に、閉蓋時に開閉蓋と着脱自在に係合する係合部を設け、上記化粧皿の他側部に対応する上記化粧皿収容具の部分に、上方からの押圧操作により閉蓋状態の開閉蓋を跳ね上げて上記係合を外し開蓋する跳ね上げ手段を設けた請求項１記載の化粧料収容装置。
【請求項３】
上記跳ね上げ手段がフックピースもしくは操作レバーである請求項１または２記載の化粧料収容装置。
【発明の詳細な説明】
【技術分野】
【０００１】
本発明は、揮発性を有する化粧料（テスター用化粧料を含む）を店頭等に陳列等するための化粧料収容装置に関するものである。
【背景技術】
【０００２】
従来から、エマルジョンパクト等の揮発性化粧料のサンプル品（テスター用化粧料）等を店頭等に陳列する際には、図２５に示すような気密化粧料容器がよく用いられている。この気密化粧料容器は、化粧料収容部６１ａが形成されているとともにその外周縁部に環状溝部６１ｂが形成され上記化粧料収容部６１ａ内に揮発性化粧料６２（図２６参照）が収容された容器本体６１と、この容器本体６１を開閉する蓋体６３とを備えており、上記容器本体６１の環状溝部６１ｂに、外周面に膨出部６４ａが形成されたリング状パッキン６４を圧入固定している。また、上記蓋体６３の裏面から筒状リブ６５を突設し、上記容器本体６１に蓋体６３を閉止した状態では、蓋体６３の筒状リブ６５でリング状パッキン６４の膨出部６４ａを押圧してこのリング状パッキン６４の内周面を化粧料収容部６１ａの外周面に圧接させることにより、リング状パッキン６４で化粧料収容部６１ａ内を密閉するようにしている（例えば、特許文献１参照）。このとき、容器本体６１に蓋体６３をしっかり閉止することで、化粧料収容部６１ａ内を確実に気密状態に保てるようにしている。
【特許文献１】特開平１１−５６４５６号公報
【発明の開示】
【発明が解決しようとする課題】
【０００３】
しかしながら、上記の気密化粧料容器では、これを多数個用い、店頭等で縦横（例えば、縦４〜６列×横４〜６列）に並べて、もしくは縦横に並べた状態で陳列皿等に収容して陳列する場合には、顧客が、気密化粧料容器内の揮発性化粧料６２を試用しようとすると、多数個のなかから所望の気密化粧料容器を手指で取り上げたのち、片方の手指で容器本体６１を持ち、もう片方の手指で蓋体６３を強い力で開けることをしなければならず、開けにくいうえ、手間がかかるという問題がある。しかも、揮発性化粧料６２を試用したのち、気密化粧料容器を元の場所に戻さなければならず、この作業にも手間がかかるという問題もある。
【０００４】
本発明は、このような事情に鑑みなされたもので、開けやすく、手間がかからない化粧料収容装置の提供をその目的とする。
【課題を解決するための手段】
【０００５】
上記の目的を達成するため、本発明の化粧料収容装置は、揮発性化粧料を収容する開閉蓋付き化粧皿と、上記開閉蓋を開閉しうる状態で上記化粧皿を着脱自在に収容する化粧皿収容具とを備え、この化粧皿収容具の一側部に、上方からの押圧操作により閉蓋状態の開閉蓋を跳ね上げて開蓋する跳ね上げ手段を設けたという構成をとる。
【発明の効果】
【０００６】
すなわち、本発明の化粧料収容装置は、揮発性化粧料を収容する開閉蓋付き化粧皿を化粧皿収容具に着脱自在に収容し、この化粧皿収容具の一側部に、上方からの押圧操作により閉蓋状態の開閉蓋を跳ね上げて開蓋する跳ね上げ手段を設けるようにしている。したがって、本発明の化粧料収容装置では、これを多数個用い、店頭等において縦横に並べて、もしくは縦横に並べた状態で陳列皿等に収容して陳列する場合にも、顧客は、そのままの状態（すなわち、上記縦横に並べた状態、もしくは縦横に並べて陳列皿等に収容した状態）で、上記跳ね上げ手段を片方の手指で上方から押圧操作するという簡単な操作で、閉蓋状態の開閉蓋を跳ね上げて開蓋することができ、そののち、上記片方の手指で蓋体を大きく開けるだけで、容器本体内の揮発性化粧料を試用することができるため、簡単に開閉蓋を開けることができ、手間もかからない。しかも、蓋体を開けて揮発性化粧料を試用したのち、そのまま閉蓋することもでき、殆ど手間をかけずに、揮発性化粧料を試用することができる。
【０００７】
また、上記化粧皿の一側部に開閉蓋を回動自在に連結し、上記化粧皿の他側部に、閉蓋時に開閉蓋と着脱自在に係合する係合部を設け、上記化粧皿の他側部に対応する上記化粧皿収容具の部分に、上方からの押圧操作により閉蓋状態の開閉蓋を跳ね上げて上記係合を外し開蓋する跳ね上げ手段を設けると、この跳ね上げ手段が上記係合部の近傍にあるため、小さな力で跳ね上げ手段を押圧操作して開閉蓋の係合状態を解除することができ、跳ね上げ手段に作用する負荷が小さく、耐久性が向上する。
【０００８】
また、上記跳ね上げ手段がフックピースもしくは操作レバーであると、簡単な構造で、跳ね上げ手段を作製することができる。
【発明を実施するための最良の形態】
【０００９】
つぎに、本発明の実施の形態を図面にもとづいて詳しく説明する。
【００１０】
図１〜図３は本発明の化粧料収容装置の一実施の形態を示している。これらの図において、１は内部にエマルジョンパクト等の揮発性化粧料２（図１参照）が収容されたテスター用の化粧皿であり、蓋体（開閉蓋）４を備えている。６は上記化粧皿１を着脱自在に収容する保持皿（化粧皿収容具）であり、上記蓋体４を開蓋するフックピース（跳ね上げ手段）７を備えている。
【００１１】
上記化粧皿１は、図４〜図６に示すように、略四角形状の皿状体に形成されたプラスチック製の容器本体３と、略四角形状の平板状体に形成され上記容器本体３の上面を開閉自在に蓋するプラスチック製の蓋体４とからなる。上記容器本体３には、その底壁３ｃの外周縁部から垂直に突設された外周側壁３ａの内部に、この外周側壁３ａとの間に所定の隙間を設けた状態で、略四角形状の環状枠状体に形成された内周側壁３ｂが上記底壁３ｃから垂直に突設されている。そして、上記内周側壁３ｂの内部空間（内周側壁３ｂの内周面と底壁３ｃの上面とで囲まれた空間）に揮発性化粧料２が収容されている。図４において、１１は上記内周側壁３ｂの上端面外側部分に形成された環状切欠き部であり、後述する環状シール材９の鍔部９ｃが配設されている。１１ａは上記環状切欠き部１１の底面内側部分に形成された環状凹部であり、上記環状シール材９の垂下部９ｄが配設されている。また、１２ａは上記内周側壁３ｂの内周面上側部分にその上端面に沿って（すなわち、周方向に沿って）突設された１本の環状凸部であり、１２ｂは上記内周側壁３ｂの内周面下側部分に上下方向に突設された多数本（図４では、２本しか図示せず）の筋状凸部であり、上記環状凸部１２ａおよび各筋状凸部１２ｂは、上記内周側壁３ｂの内部空間に充填された揮発性化粧料２を保持する作用をする。
【００１２】
また、上記内外両周側壁３ａ，３ｂ間に形成される略四角形状の環状溝部１３には、弾性材（ゴム等）からなる環状シール材９が内嵌状に固定されている。この環状シール材９は、上記環状溝部１３の底面上（容器本体３の底壁３ｃ上）に内嵌状に載置される環状の載置部９ａと、この載置部９ａの上面内側部分から立設される環状の縦壁部９ｂと、この縦壁部９ｂの上端から内側に向かって延びる環状の鍔部９ｃと、この鍔部９ｃの先端から垂下する環状の垂下部９ｄとからなり、閉蓋時には、上記縦壁部９ｂの外周面が、後述する蓋体６の押圧板１９の内周面で押圧され、この押圧で上記縦壁部９ｂの内周面が上記内周側壁３ｂの外周面に気密状に圧接するようにしている。また、上記鍔部９ｃが上記内周側壁３ｂの環状切欠き部１１に配設されているとともに、上記垂下部９ｄが上記内周側壁３ｂの環状凹部１１ａに配設されており、閉蓋時には、上記鍔部９ｃの上面が、後述する蓋体４の凸部１８の下端尖鋭部１８ａで押圧され、この押圧で上記鍔部９ｃの下面が上記内周側壁３ｂの環状切欠き部１１の底面に気密状に圧接するようにしている。
【００１３】
また、上記容器本体３の外周側壁３ａの前端部から係合凸部１４が突設されており、閉蓋時には、上記係合凸部１４が、後述する蓋体４の係合爪２０に穿設された係合穴２０ａに着脱自在に係合するようにしている。また、上記容器本体３の後端部から左右一対の第１ヒンジ連結部１５が突設されており、後述する蓋体４の第２ヒンジ連結部２１に金属製のヒンジ軸１６を介してヒンジ連結している。図６において、１５ａは上記第１ヒンジ連結部１５に穿設されたヒンジ軸貫通穴である。
【００１４】
上記蓋体４には、その下面に、上記容器本体３の内周側壁３ｂの環状切欠き部１１に対応する部分から、環状に形成された断面形状略円錐形の凸部１８が下向きに突設されており、閉蓋状態では、上記凸部１８の下端尖鋭部１８ａが環状シール材９の鍔部９ｃの上面に押圧状に当接してこの鍔部９ｃを下側に押圧し、この押圧で上記鍔部９ｃの下面が上記環状切欠き部１１の底面に気密状に当接するようにしている。また、上記下面には、上記容器本体３の環状溝部１３に対応する部分から、円筒形状に形成された押圧板１９が垂下しており、閉蓋状態では、上記押圧板１９の内周面が環状シール材９の縦壁部９ｂの外周面に当接してこの縦壁部９ｂを内側に押圧し、この押圧で上記縦壁部９ｂの内周面が上記内周側壁３ｂの外周面に気密状に当接するようにしている。このようにして、閉蓋状態で容器本体３の気密が保たれるようにしている。
【００１５】
また、上記蓋体４の下面前端部分から係合爪２０が下向きに突設されており、閉蓋状態では、上記係合爪２０に穿設された係合穴２０ａに、上記容器本体３の外周側壁３ａの係合凸部１４が着脱自在に係合するようにしている。また、上記蓋体４の後端部から、容器本体３の両第１ヒンジ連結部１５にヒンジ軸１６を介してヒンジ連結する第２ヒンジ連結部２１が突設されている。図において、２２ａ，２２ｂ，２２ｃは蓋体４の上面に突設された略四角形状の環状凸部である。また、図４において、２１ａは上記第２ヒンジ連結部２１に穿設されたヒンジ軸貫通穴である。
【００１６】
一方、上記保持皿６は、上記化粧皿１を着脱自在に収容，保持する化粧皿収容凹部２５ａが形成されたプラスチック製の化粧皿収容枠体（化粧皿収容具）２５と、上記化粧皿収容凹部２５ａに収容された化粧皿１の蓋体４を開蓋するプラスチック製のフックピース７とからなり、上記化粧皿収容凹部２５ａの前側に、上記フックピース７を収容する前側凹部２５ｂが形成されている。
【００１７】
上記化粧皿収容枠体２５は、図７〜図１０に示すように、略四角形状の枠状体に形成されており、前壁の中央部分が切り欠き形成された外側周壁２６と、この外側周壁２６との間に所定の隙間をあけて配設された内側周壁２７と、前部の中央部分（上記外側周壁２６の前壁の中央部分に対応する部分）が切り欠き形成された略コ字状の上板２８（この上板２８は、上記切り欠き形成した部分を除いた状態で、上記内外両周側壁２６，２７の上端部間に袈設されている）と、この上板２８の内側に形成された化粧皿収容凹部２５ａと、上記上板２８の後部（上記化粧皿収容凹部２５ａの後側）に形成された後側凹部３０とを備えており、上記化粧皿収容凹部２５ａが、内側周壁２７と、この内側周壁２７の内周面下端部から内側に突設された環状の化粧皿載置板２９とで構成されている。
【００１８】
また、上記前側凹部２５ｂは、上記内側周壁２７の前壁の中央部分（上記外側周壁２６の前壁の中央部分に対応する部分）の外周面下端部から前側に向かって延びる底板３１と、この底板３１の左右両側縁部から立設した左右一対の横側壁３２とを有しており、これら両横側壁３２に、後述するフックピース７の軸穴７ａ（図１２参照）に回転自在に係合する軸部３３が突設されている。また、上記後側凹部３０には、化粧皿１を化粧皿収容枠体２５に収容したときに、上記化粧皿１の容器本体３の両第１ヒンジ連結部１５が着脱自在に固定されるようにしている。
【００１９】
また、上記内側周壁２７には、その前壁の内周面に、上記化粧皿１の容器本体３の外周面に設けた左右一対の前側係合凹部（図示せず）に着脱自在に係合する左右一対の係合凸部２７ａが突設されている（図１１参照）。また、上記内側周壁２７の後壁には、上記後側凹部３０の底壁（すなわち、上板２８）の下側部分が切り欠き形成されており、この切り欠き部３５の上壁（すなわち、上記後側凹部３０の底壁）の前側部分から、上記化粧皿１の容器本体３の外周面に設けた左右一対の後側係合凹部（図示せず）に着脱自在に係合する左右一対の係合片２７ｂが垂下している（図１１参照）。
【００２０】
また、上記保持皿６は、その上板２８の一隅部（この実施の形態では、前・右側の隅部）が、傾斜状に面取りされた状態で（すなわち、上記一隅部から二等辺三角形体を切り取るようにして）切り欠かれており、この切り欠き部３７に対応する上記外側周壁２６の部分２６ａは、上記切り欠き部３７から所定距離をあけて形成されている（図１０参照）。そして、上記切り欠き部３７に隣接する保持皿６の裏面部分（すなわち、上記外側周壁２６の部分２６ａと切り欠き部３７との間の部分）に、上記切り欠き部３７に直交する方向に（保持皿６の中心に向かう方向に）凹溝３７ａが形成されている。
【００２１】
また、上記外側周壁２６には、その相対向する両側壁（図では、左右両側壁）に、親指，中指等の指先が当接しやすい形状に形成された把持用凹部３８が内向き湾曲状に形成されている。また、上記外側周壁２６には、その下面に複数の突条３９が形成されている。これら各突条３９は、底面に格子状突条が形成された陳列台等（図示せず）に複数個の保持皿６を収容して陳列する場合に、上記格子状突条間に位置決めして載置するために、使用するものである。
【００２２】
上記フックピース７は、図１２〜図１５に示すように、断面形状略Ｌ字状に形成された押圧片４１と、この押圧片４１の左右両端部に相対向状に設けた左右一対の側板４２とからなり、これら両側板４２の外側面に形成された軸穴７ａに、上記前側凹部２５ｂの両横側壁３２の軸部３３がそれぞれ回転自在に係合している。また、上記押圧片４１のＬ字状の上片（横片）４１ａの後端部４１ｂが、閉蓋状態では、上記蓋体４の前端部のすぐ下側に位置決めされるようにしている。図において、７ｂは上記各軸部３３を各側板４２の外周縁から軸穴７ａにガイドするガイド溝で、４１ｃは上記押圧片４１のＬ字状の前片（縦片）で、４３は押圧片４１の裏面に突設された３枚のリブ板である。
【００２３】
そして、陳列された複数個の保持皿６内の揮発性化粧料２を試用する場合には、片方の手指で押圧片４１の上片４１ａの前部（上記軸穴７ａより前側部分）を下方に押圧し、押圧片４１の前片４１ｂが前側凹部２５ｂの底板３１に当るまで押圧片４１を回動させることを行う。これにより、上記押圧片４１の上片４１ａの後端部４１ｂが上方に移動し、ここで蓋体４を上方に跳ね上げ、上記蓋体４の係合爪２０の係合穴２０ａと容器本体３の外周側壁３ａの係合凸部１４との係合を外し、蓋体４を開蓋する（図１６参照）。開蓋した蓋体４は所定角度回動したのち止まるため、これを上記片方の手指で大きく開けると、内部の揮発性化粧料２を試用することができる。
【００２４】
このような化粧皿１は、レフィル容器として購入されたのち、コンパクト容器４５（図１７参照）の化粧皿収容凹部４６ａに収容して使用される（図１８参照）。上記コンパクト容器４５は、化粧皿収容凹部４６ａおよびパフ収容凹部４６ｂが形成された容器本体４６と、この容器本体４６を開閉する蓋体４７とを備えており、上記化粧皿収容凹部４６ａに化粧皿１を収容した状態では、上記化粧皿収容凹部４６ａの前側凹部４６ｃに化粧皿１の容器本体３の両第１ヒンジ連結部１５が着脱自在に固定され、上記化粧皿収容凹部４６ａの後側凹部４６ｄに化粧皿１の容器本体３の係合凸部１４および蓋体４の係合爪２０が位置決めされるようにしている。図において、４７ａは蓋体４７の前端部に突設した係合爪で、４８ａは容器本体４６の前側凹部４８に突設した係合凸部であり、閉蓋状態では、上記係合爪４７ａに着脱自在に係合するようにしている。また、４９はフックピースで、５０は蓋体４７の裏面に固定された鏡である。
【００２５】
上記のように、この実施の形態では、フックピース７を有する保持皿６を用いているため、これを多数個用い、店頭等において縦横に並べて、もしくは縦横に並べた状態で陳列皿等に収容して陳列する場合にも、顧客は、所望の保持皿６のフックピース７を片方の手指で上方から下方に向かって押圧操作するだけで、上記所望の保持皿６内に収容した化粧皿１の蓋体４を開蓋することができ、そののち、上記片方の手指で蓋体４を大きく開けるだけで、容器本体３内の揮発性化粧料２を試用すことができ、手間がかからない。しかも、蓋体４を開けて揮発性化粧料２を試用したのち、そのまま閉蓋することもでき、殆ど手間をかけずに、揮発性化粧料２を試用することができる。
【００２６】
図１９〜図２１は本発明の化粧料収容装置の他の実施の形態に用いる保持皿６を示している。この実施の形態では、前後に回動するフックピース７に代えて、左右に揺動する操作レバー５１を用いている。この操作レバー５１は、左右方向に延びる平板状体に形成された操作片５２と、この操作片５２の左側寄り部分の後端縁から垂下する断面形状略Ｌ字状の跳ね上げ片５３と、上記操作片５２の前端縁から垂下するストッパー片５４とからなり、上記操作片５２の裏面中央部分から、後述する軸部５７に揺動自在に係合する左右一対の支受板５２ａが下向きに突設されている（図２０参照）。そして、上記保持皿６の化粧皿収容凹部２５ａに化粧皿１を収容した状態では、上記操作片５２の左端部の後端部分が蓋体４の前端部のすぐ下側に位置決めされており、跳ね上げ片５３のＬ字状の下片（横片）５３ａが蓋体４の係合爪２０のすぐ下側に位置決めされている。図２１において、５３ｂは跳ね上げ片５３のＬ字状の縦片で、５３ｃは跳ね上げ片５３に設けた１条のリブである。
【００２７】
一方、上記保持皿６の上板２８は、図２２〜図２４に示すように、その前部の中央部分および右側部分が、上記上板の右側縁から切り欠き形成されているとともに、この略長方形状の切り欠き形成部５５ａに対応する上記外側周壁２６の部分も切り欠き形成されており、これら切り欠き形成部５５ａ，５５ｂに、上記操作レバー５１を配設するためのレバー配設凹部５５が形成されている。このレバー配設凹部５５は、底板５５ｃと、この底板５５ｃの左側縁部から立設した左横側壁５５ｄとを有しており、上記底板５５ｃの上面に、上記保持皿６の内側周壁２７から所定距離離れた位置に、操作片５２の左側部分を支受して操作片５２を略水平に保持するための凸部５６ａを有する支受板５６が、左右方向に延びるようにして立設されている。また、上記内側周壁２７と上記支受板５６の右端部の上端部分との間に軸部５７が略水平に突設されており、上記操作片５２の支受板５２ａに回転自在に連結している。
【００２８】
そして、陳列された複数個の保持皿６内の揮発性化粧料２を試用する場合には、片方の手指で操作レバー５１の操作片５２の右側部分を下方に押圧し、操作レバー５１のストッパー片５４の右端部下端面がレバー配設凹部５５の底板５５ｃに当るまで操作片５２を揺動させることを行う。これにより、上記操作片５２の左端部の後端部分および跳ね上げ片５３のＬ字状の下片５３ａが上方に移動し、ここで蓋体４を上方に跳ね上げ、上記蓋体４の係合爪２０の係合穴２０ａと容器本体３の外周側壁３ａの係合凸部１４との係合を外し、蓋体４を開蓋する（図２１参照）。それ以外の部分は上記実施の形態と同様であり、同様の部分には同じ符号を付している。この実施の形態でも、上記実施の形態と同様の作用・効果を奏する。
【００２９】
なお、上記両実施の形態では、跳ね上げ手段（フックピース７もしくは操作レバー５１）を保持皿６の前部に設けているが、これに限定するものではなく、左右両側部に設けてもよい。また、跳ね上げ手段としては、フックピース７，操作レバー５１以外に、各種のものを用いることができる。
【図面の簡単な説明】
【００３０】
【図１】本発明の化粧料収容装置の一実施の形態を示す断面図である。
【図２】上記化粧料収容装置の平面図である。
【図３】上記化粧料収容装置の正面図である。
【図４】化粧皿の断面図である。
【図５】上記化粧皿の平面図である。
【図６】上記化粧皿の側面図である。
【図７】保持皿の平面図である。
【図８】上記保持皿の正面図である。
【図９】上記保持皿の側面図である。
【図１０】上記保持皿の底面図である。
【図１１】上記保持皿の要部の断面図である。
【図１２】フックピースの断面図である。
【図１３】上記フックピースの平面図である。
【図１４】上記フックピースの側面図である。
【図１５】上記フックピースの背面図である。
【図１６】上記フックピースの作用を示す断面図である。
【図１７】コンパクトを示す平面図である。
【図１８】上記コンパクトに化粧皿を収容した状態を示す平面図である。
【図１９】本発明の化粧料収容装置の他の実施の形態に用いる保持皿の平面図である。
【図２０】上記保持皿の正面図である。
【図２１】上記保持皿の要部の断面図である。
【図２２】化粧皿収容枠体の平面図である。
【図２３】上記化粧皿収容枠体の正面図である。
【図２４】上記化粧皿収容枠体の側面図である。
【図２５】従来例を示す斜視図である。
【図２６】上記従来例を示す断面図である。
【符号の説明】
【００３１】
１  化粧皿
２  揮発性化粧料
４  蓋体
６  保持皿
７  フックピース
【図１】
2005168666.tif 000003
【図２】
2005168666.tif 000004
【図３】
2005168666.tif 000005
【図４】
2005168666.tif 000006
【図５】
2005168666.tif 000007
【図６】
2005168666.tif 000008
【図７】
2005168666.tif 000009
【図８】
2005168666.tif 000010
【図９】
2005168666.tif 000011
【図１０】
2005168666.tif 000012
【図１１】
2005168666.tif 000013
【図１２】
2005168666.tif 000014
【図１３】
2005168666.tif 000015
【図１４】
2005168666.tif 000016
【図１５】
2005168666.tif 000017
【図１６】
2005168666.tif 000018
【図１７】
2005168666.tif 000019
【図１８】
2005168666.tif 000020
【図１９】
2005168666.tif 000021
【図２０】
2005168666.tif 000022
【図２１】
2005168666.tif 000023
【図２２】
2005168666.tif 000024
【図２３】
2005168666.tif 000025
【図２４】
2005168666.tif 000026
【図２５】
2005168666.tif 000027
【図２６】
2005168666.tif 000028